【手続補正書】
【提出日】平成22年8月3日(2010.8.3)
【手続補正１】
【補正対象書類名】明細書
【補正対象項目名】００６６
【補正方法】変更
【補正の内容】
【００６６】
本出願では、以下の態様が提供される。
１．  第１及び第２の主表面を有する裏材層を備える創傷手当用品と、前記裏材層の前記第１の主表面及び前記第２の主表面の少なくとも１つに恒久的に取り付けられる手当用品支持層であって、前記創傷手当用品の周囲に沿って前記裏材層の複数の交互になっている被覆部分及び非被覆部分を形成する放射状の構成を有する手当用品支持層と、を備える、創傷手当用品及び支持システム。
２．  前記裏材層の前記第１の主表面の少なくとも一部分上に接着層を更に備える、態様１に記載の創傷手当用品及び支持システム。
３．  前記複数の交互になっている被覆部分の少なくともいくつかが、前記手当用品の縁部に近付くにしたがって狭まる、態様１に記載の創傷手当用品及び支持システム。
４．  前記創傷手当用品が、少なくとも１つのタブを更に備える、態様１に記載の創傷手当用品及び支持システム。
５．  前記手当用品支持層が、前記手当用品の中央を覆わない、態様１に記載の創傷手当用品及び支持システム。
６．  前記支持層が、前記裏材層の周囲の８０％未満を覆う、態様１に記載の創傷手当用品及び支持システム。
７．  前記支持層が、前記裏材層の前記周囲の６０％未満を覆う、態様１に記載の創傷手当用品及び支持システム。
８．  前記創傷手当用品の前記周囲が、前記裏材層の少なくとも４つの別個の非被覆部分を備える、態様１に記載の創傷手当用品及び支持システム。
９．  前記手当用品支持層が、吸収性材料を含む、態様１に記載の創傷手当用品及び支持システム。
１０．  前記手当用品支持層が、硬化性材料を含む、態様１に記載の創傷手当用品及び支持システム。
１１．  前記硬化性材料が、放射線硬化性である、態様１０に記載の創傷手当用品及び支持システム。
１２．  吸収性材料を更に含む、態様１に記載の創傷手当用品及び支持システム。
１３．  前記吸収性材料が、ヒドロゲル、ヒドロコロイド、発泡体、膨張性合成ポリマー、合成不織布材料、及び天然不織布材料から成る群から選択される、態様１２に記載の創傷手当用品及び支持システム。
１４．  吸収性材料の２つ又はそれ以上の層を更に含む、態様１に記載の創傷手当用品及び支持システム。
１５．  前記裏材層が、透明又は半透明の高分子フィルムを含む、態様１に記載の創傷手当用品及び支持システム。
１６．  前記裏材層の前記交互になっている非被覆部分が、患者に適用する間、それら自体に部分的に接着するように構成される、態様１に記載の創傷手当用品及び支持システム。
１７．  創傷上に置かれるように構成され、柔軟な低吸収性周辺部に取り囲まれた吸収性内部を有する創傷手当用品基材と、前記創傷手当用品基材に恒久的に取り付けられるように構成される手当用品支持基材であって、前記内部に近接して位置付けられる１つ以上の中央部分と、前記１つ以上の中央部分から前記手当用品基材の前記周辺部に向かって放射状に広がる複数の延長部とを有する手当用品支持基材と、を備える、創傷手当用品及び支持システム。
１８．  前記複数の延長部の少なくともいくつかが、前記創傷手当用品基材の縁部に近付くにしたがって狭まる、態様１７に記載の創傷手当用品及び支持システム。
１９．  前記創傷手当用品が、前記手当用品の位置付けの助けとなる前記創傷手当用品基材の縁部を越える少なくとも２つの延長部を備える、態様１７に記載の創傷手当用品及び支持システム。
２０．  前記延長部が、前記創傷手当用品の中央に集中するが、前記手当用品の中央を覆わない、態様１７に記載の創傷手当用品及び支持システム。
２１．  前記創傷手当用品基材の前記低吸収性周辺部の８０％未満が、前記手当用品支持基材によって覆われる、態様１７に記載の創傷手当用品及び支持システム。
２２．  前記創傷手当用品基材の前記低吸収性周辺部の６０％未満が、前記手当用品支持基材によって覆われる、態様１７に記載の創傷手当用品及び支持システム。
２３．  前記創傷手当用品の前記低吸収性周辺部が、少なくとも８つの別個の非被覆区域を備える、態様１７に記載の創傷手当用品及び支持システム。
２４．  前記吸収性内部が、ヒドロコロイド吸収性シート材料を含む、態様１７に記載の創傷手当用品及び支持システム。
２５．  前記低吸収性周辺部が、透明又は半透明の高分子フィルムを含む、態様１７に記載の創傷手当用品及び支持システム。
２６．  第１及び第２の主表面並びに周辺部を有する弾性フィルム裏材と、前記裏材の前記第１の主表面上の接着剤と、前記裏材の前記第１の主表面上の吸収性パッドであって、前記裏材の前記周辺部が前記吸収性パッドを実質的に越えて延びるようなサイズと前記裏材に沿った位置とを有し、ヒドロコロイド又はヒドロゲル材料を含み、前記弾性フィルム裏材よりも実質的に厚く、重く、且つ堅い吸収性パッドと、を備える創傷手当用品と、前記裏材の前記第２の主表面に恒久的に取り付けられる支持層であって、１つ以上の中央区域から前記創傷手当用品の周辺部の外縁に向かって放射状に広がる複数の延長部を備え、前記手当用品の取扱いを容易にするため、前記裏材よりも実質的に堅い支持層、を備える支持システムと、を備える、創傷手当用品及び支持システム。
２７．  前記複数の延長部が、前記創傷手当用品の前記周辺部の複数の交互になっている被覆部分及び非被覆部分を形成する、態様２６に記載の創傷手当用品及び支持システム。
２８．  前記複数の延長部が、前記創傷手当用品の中央に集中するが、前記手当用品の中央を覆わない、態様２６に記載の創傷手当用品及び支持システム。
２９．  前記複数の延長部の少なくともいくつかが、前記創傷手当用品の外縁に近付くにしたがって狭まる、態様２６に記載の創傷手当用品及び支持システム。
３０．  前記放射状の延長部が、前記延長部の外縁においてその中心から測定して少なくとも平均２０°だけ、隣接する放射状の延長部から分離される、態様２６に記載の創傷手当用品及び支持システム。
３１．  前記複数の延長部の少なくともいくつかが、前記手当用品の縁部に近付くにしたがって幅広になる、態様１に記載の創傷手当用品及び支持システム。
３２．  第１及び第２の主表面並びに周辺部を有する弾性フィルム裏材と、前記裏材の前記第１の主表面上の接着剤と、を備える創傷手当用品と、前記裏材の前記第１の主表面上の吸収性パッドであって、ヒドロコロイド又はヒドロゲル材料を包含し、前記弾性フィルム裏材よりも実質的に厚く、重く、且つ堅く、１つ以上の中央区域から前記創傷手当用品の前記周辺部の外縁に向かって放射状に広がる複数の延長部を備える吸収性パッドを備える支持システムと、を備える、創傷手当用品及び支持システム。
３３．  第１及び第２の主表面並びに周辺部を有する弾性フィルム裏材と、前記裏材の前記第１の主表面上の接着剤と、前記裏材の前記第１の主表面上の吸収性パッドであって、前記裏材の前記周辺部が前記吸収性パッドを実質的に越えて延びるようなサイズ及び前記裏材に沿った位置であり、ヒドロコロイド又はヒドロゲル材料を含む吸収性パッドと、を備える創傷手当用品と、前記裏材の前記第１の主表面上に恒久的に取り付けられる支持層であって、１つ以上の中央区域から前記創傷手当用品の前記周辺部の外縁に向かって放射状に広がる複数の延長部を備え、前記手当用品の取扱いを容易にするため、前記裏材よりも実質的に固い支持層を備える支持システムと、を備える、創傷手当用品及び支持システム。
特許請求の範囲に規定するような本発明の範囲から逸脱することなく、上述の構造、組成物、及び方法を様々に変化させることができるが、上述の説明に含まれる、又は添付図面に示される全ての事項は例証として解釈されるものであって、限定的な意味で解釈されるものではない。
【手続補正２】
【補正対象書類名】特許請求の範囲
【補正対象項目名】全文
【補正方法】変更
【補正の内容】
【特許請求の範囲】
【請求項１】
第１及び第２の主表面を有する裏材層を備える創傷手当用品と、
前記裏材層の前記第１の主表面及び前記第２の主表面の少なくとも１つに恒久的に取り付けられる手当用品支持層であって、前記創傷手当用品の周囲に沿って前記裏材層の複数の交互になっている被覆部分及び非被覆部分を形成する放射状の構成を有する手当用品支持層と、を備える、創傷手当用品及び支持システム。